(57)【特許請求の範囲】
【請求項１】
前部垂下片、後部垂下片、上面片で構成される溝型材の下開口部を鏡の上縁嵌合部とし、溝型材の前部垂下片を上面片より上方へ延長してなる延長片を形成し、該延長片に後部方向に後部垂下片の上方延長線上まで突出する中突出片、上突出片を形成し、上面片と中突出片間の空間を配線空間とすると共に中突出片と上突出片間の空間を上突出片の切欠加工により照明器具取付部として溝型支持具を構成してなる照明器具取付構造。
【発明の詳細な説明】
【技術分野】
【０００１】
本発明は、鏡を取り付けるサッシに照明器具を確実に外観良く取り付けることができる照明器具取付構造に関するものである。さらに詳しくは、前部垂下片、後部垂下片、上面片で構成される溝型材の下開口部を鏡の上縁嵌合部とし、溝型材の前部垂下片を上面片より上方へ延長してなる延長片を形成し、該延長片に後部方向に後部垂下片の上方延長線上まで突出する中突出片、上突出片を形成し、上面片と中突出片間の空間を配線空間とすると共に中突出片と上突出片間の空間を上突出片の切欠加工により照明器具取付部として溝型支持具を構成してなる照明器具取付構造に関するものである。
【背景技術】
【０００２】
従来から鏡に孔開け加工することなく照明器具を取り付ける照明器具取付構造は知られている（特許文献１）。この従来の照明器具取付構造は配線が面倒であると共に部品点数が多く施工が面倒である欠点があった。即ち、鏡を取り付けるサッシと照明器具を取り付ける金具が各々独立しており、面倒なものであった。
【特許文献１】特開平１０−３２７９９５号公報（図1、図５）
【発明の開示】
【発明が解決しようとする課題】
【０００３】
本発明は、鏡を取り付ける溝型材（サッシ）に配線空間を形成すると共に照明器具の取付金具を容易に固定できる機能を付加して溝型支持具を構成することにより施工を容易とすることをその課題とするものである。
【課題を解決するための手段】
【０００４】
上記課題を解決するために、本発明に係る照明器具取付構造は、請求項１に記載した如く、前部垂下片、後部垂下片、上面片で構成される溝型材の下開口部を鏡の上縁嵌合部とし、溝型材の前部垂下片を上面片より上方へ延長してなる延長片を形成し、該延長片に後部方向に後部垂下片の上方延長線上まで突出する中突出片、上突出片を形成し、上面片と中突出片間の空間を配線空間とすると共に中突出片と上突出片間の空間を上突出片の切欠加工により照明器具取付部として溝型支持具を構成してなるものである。
【発明の効果】
【０００５】
請求項１に記載の照明器具取付構造は、溝型支持具が溝型材の前部垂下片を上面片より上方へ延長してなる延長片を形成し、該延長片に後部方向に後部垂下片の上方延長線上まで突出する中突出片、上突出片を形成し、上面片と中突出片間の空間を配線空間としてなるために後部方向（施工面側）は上面片と中突出片間の空間は開放しており、施工面側より配線空間に配線を容易に行うことができるものである。
【０００６】
又、照明器具取付部は中突出片と上突出片間の空間を上突出片の切欠加工により照明器具取付部として形成されるために配線空間に近接しており、配線空間の延長片面に開口部を形成すれば容易に配線を引き出すことができるものである。照明器具取付部は溝型支持具の一部であり、施工現場において自由に切欠加工しその位置を選択することができる効果もある。
【発明を実施するための最良の形態】
【０００７】
以下、本発明の実施形態について図面を参照して詳細に説明する。図１は本発明における溝型支持具の実施例の正面図、図２は図１に示す実施例の側面図、図３は図１に示す実施例のＡ−Ａ断面図、図４は図１に示す実施例のＢ−Ｂ断面図、図５は取付金具の正面図、図６は図５に示す取付金具の側面図、図７は照明器具取付構造を示す断面図である。
【０００８】
図１、図２、図３及び図４において、１は溝型支持具、２は溝型材、３は前部垂下片、４は上面片、５は後部垂下片、６は延長片、７は中突出片、８は上突出片、９は配線空間、１０は開口部、１１は照明器具取付部である。溝型材２は前部垂下片３、後部垂下片５、上面片４で構成されているもので、下開口部１２は鏡の上縁を嵌合するものである。溝型材２の前部垂下片３を上面片４より上方へ延長して延長片６を形成し、延長片６に後部方向突出する中突出片７、上突出片８を形成する。
【０００９】
中突出片７、上突出片８は後部方向に後部垂下片５の上方延長線上まで突出しているものである。上面片４と中突出片７間との間の空間は配線空間９である。この配線空間９は後部方向（施工面側）は開放しており、配線は容易に行えるものである。配線空間９の上面片４と中突出片７の対向する端縁部に隆起凸条１３が形成されているので配線空間９内に収納された配線は外部に出にくいものである。開口部１０は配線引き出し口であり、ここより配線を前部に引き出し照明器具に接続されるものである。照明器具取付部１１は上突出片８を切欠することにより形成されるもので、照明器具が取り付けされるものである。１４は後部垂下片５に形成されたビス孔であり、施工面に溝型支持具１を固定するものである。
【００１０】
図５及び図６において、１５は取付金具であり、照明器具を取り付けるものである。具体的には溝型支持具１の上突出片８を切欠することにより形成された照明器具取付部１１に取付金具１５の係合段部１７を係合し固定片１６をビスで施工面に固定する。取付金具１５は溝型支持具１に係合段部１７を係合するために溝型支持具１に支持されており固定片１６をビスで施工面に固定するだけで充分な支持強度を保持させることができるものである。１８は取付金具１５に植設されたボルトであり、照明器具を固定するときに用いるものである。
【００１１】
図７は照明器具取付構造を示しており、１９はパッキン、２０は鏡、２１は照明器具である。溝型支持具１の下開口部１２には鏡２０の上端が嵌合保持されており、溝型支持具１の照明器具取付部１１には取付金具１５の係合段部１７が係合され、取付金具の１５のボルト１８により照明器具２１が取り付けられている。
【図面の簡単な説明】
【００１２】
【図１】本発明にかかる溝型支持具の実施例の正面図。
【図２】図１に示す実施例の側面図。
【図３】図１に示す実施例のＡ−Ａ断面図。
【図４】図１に示す実施例のＢ−Ｂ断面図。
【図５】本発明にかかる取付金具の実施例の正面図。
【図６】図５に示す実施例の側面図。
【図７】本発明の照明器具取付構造を示す実施例の断面説明図。
【符号の説明】
【００１３】
１        溝型支持具
２        溝型材
３        前部垂下片
４        上面片
５        後部垂下片
６        延長片
７        中突出片
８        上突出片
９        配線空間
１０      開口部
１１      照明器具取付部
１２      下開口部
１３      隆起凸条
１４      ビス孔
１５      取付金具
１６      固定片
１７      係合段部
１８      ボルト
１９      パッキン
２０      鏡
２１      照明器具
【図１】
0004475254.tif 000002
【図２】
0004475254.tif 000003
【図３】
0004475254.tif 000004
【図４】
0004475254.tif 000005
【図５】
0004475254.tif 000006
【図６】
0004475254.tif 000007
【図７】
0004475254.tif 000008